(57)【要約】ポリアルケニル置換コハク酸エステル類、αオレイン無水マレイン酸共重合体、およびこれらの混合物から成るグループから選択された１又はそれ以上の分散剤約５重量パーセント乃至約９５重量パーセントと、１又はそれ以上の金属不活性剤約０．１重量パーセント乃至約２５重量パーセントとを含む組成物と、ジェット燃料を安定させるために組成物を使用する方法および、その組成物を含むジェット燃料。【選択図】なし【特許請求の範囲】
【請求項１】
ポリアルケニル置換コハク酸エステル類、αオレイン無水マレイン酸共重合体、およびこれらの混合物から成るグループから選択された１又はそれ以上の分散剤約５重量パーセント乃至約９５重量パーセントと、１又はそれ以上の金属不活性剤約０．１重量パーセント乃至約２５重量パーセントとを含むことを特徴とする組成物。
【請求項２】
請求項１に記載の組成物において、前記ポリアルケニル置換コハク酸エステル類が、ポリイソブテニルコハク酸エステル類から成るグループから選択されることを特徴とする組成物。
【請求項３】
請求項２に記載の組成物において、ポリイソブテニル置換コハク酸エステル類が、一価アルコール、多価アルコール、フェノール、及びナフトールのポリイソブテニル置換コハク酸エステル類から成るグループから選択されることを特徴とする組成物。
【請求項４】
請求項３に記載の組成物において、前記ポリアルケニル置換コハク酸エステル類が、ポリイソブテニルペンタエリスリトールコハク酸エステル塩から成るグループから選択されることを特徴とする組成物。
【請求項５】
請求項１に記載の組成物において、前記αオレイン無水マレイン酸共重合体が、約１０乃至約３６の炭素原子を有する１又はそれ以上のαオレインと、無水マレイン酸とから成り、前記αアルファオレインと無水マレイン酸の重量比が約１：１乃至約５：１であることを特徴とする組成物。
【請求項６】
請求項５に記載の組成物において、前記共重合体の分子量が、約５，０００乃至１００，０００であることを特徴とする組成物。
【請求項７】
請求項６に記載の組成物において、前記αオレインが約２４乃至約２８の炭素原子を有することを特徴とする組成物。
【請求項８】
請求項７に記載の組成物において、前記αオレイン無水マレイン酸共重合体は、αアルファオレインと無水マレイン酸のモル比が、約１：１乃至約５：１であることを特徴とする組成物。
【請求項９】
請求項８に記載の組成物において、前記αオレイン無水マレイン酸共重合体が、平均分子量約５，０００乃至約２０，０００であることを特徴とする組成物。
【請求項１０】
請求項９に記載の組成物において、前記αオレイン無水マレイン酸共重合体が、αオレインと無水マレイン酸の重量比が約１：１乃至約４：１であることを特徴とする組成物。
【請求項１１】
請求項１に記載の組成物において、前記金属不活性剤が、Ｎ，Ｎ’−サリチリデン−１，２−プロパンジアミン、Ｎ，Ｎ−２置換アミノメチル−１，２，４−トリアゾール、アルキルフェノール−モノエチレンジアミン、ポリエチレンポリアミン−ホルムアルデヒド樹脂ポリマー及びその混合物から選択されることを特徴とする組成物。
【請求項１２】
請求項１１に記載の組成物において、前記金属不活性剤がＮ，Ｎ’−サリチリデン−１，２−プロパンジアミンであることを特徴とする組成物。
【請求項１３】
請求項１に記載の組成物において、ポリアルケニル置換コハク酸エステル類、αオレイン無水マレイン酸共重合体、およびこれらの混合物から成るグループから選択された１又はそれ以上の分散剤約１０重量パーセント乃至約６０重量パーセントと、１又はそれ以上の金属不活性剤約１．０重量パーセント乃至約２０重量パーセントとを含むことを特徴とする組成物。
【請求項１４】
請求項１に記載の組成物において、ポリアルケニル置換コハク酸エステル類、αオレイン無水マレイン酸共重合体、およびこれらの混合物から成るグループから選択された１又はそれ以上の分散剤約１０重量パーセント乃至約４０重量パーセントと、１又はそれ以上の金属不活性剤約５．０重量パーセント乃至約１０重量パーセントとを含むことを特徴とする組成物。
【請求項１５】
請求項１に記載の組成物がさらに、１又はそれ以上の炭化水素溶剤を含むことを特徴とする組成物。
【請求項１６】
請求項１に記載の組成物がさらに、１又はそれ以上の抗酸化物質を含むことを特徴とする組成物。
【請求項１７】
ジェット燃料を安定させる方法において、燃料に、請求項１の組成物の有効安定量を加えるステップを具えることを特徴とする方法。
【請求項１８】
請求項１７に記載の方法において、前記有効安定量が約０．１乃至約５，０００ｐｐｍであることを特徴とする方法。
【請求項１９】
請求項１７に記載の方法において、前記有効安定量が約１乃至約１，０００ｐｐｍであることを特徴とする方法。
【請求項２０】
安定ジェット燃料において、ジェット燃料と請求項１の組成物の有効安定量を含むことを特徴とする安定ジェット燃料。
【発明の詳細な説明】
【技術分野】
【０００１】
本発明は、燃料が燃焼している間、ジェット燃料を安定させて、ジェットエンジン部分に堆積物が形成されるのを抑制するための組成物及びその方法に関する。
【背景技術】
【０００２】
ジェット燃料は、推進剤として主に使用されることに加え、軍用機の潤滑システム、電気システム及び環境制御システム用の冷却剤として使用される。軍用機の性能を改善するために、これらのエンジンを未だない高い温度で動作させることを必要としている。しかしながら、ジェット燃料は、高温で劣化し、燃料システムを故障させるゴム質と微粒子を形成することが知られている。この結果、高温での安定性を強化するようにジェット燃料を処理することが非常に望まれている。
【０００３】
これらの高温運転でジェット燃料を適するようにするため、Ａｉｒ  Ｆｏｒｃｅ  Ｒｅｓｅａｒｃｈ  Ｌａｂ（ＡＦＲＬ）は、Ｑｕａｒｔｚ  Ｃｒｙｓｔａｌ  Ｍｉｃｒｏｂａｌａｎｃｅ（ＱＣＭ）、Ｈｏｔ  Ｌｉｑｕｉｄ  Ｐｒｏｃｅｓｓ  Ｓｉｍｕｌａｔｏｒ（ＨＬＰＳ）、及びＩｓｏｔｈｅｒｍａｌ  Ｏｘｉｄａｔｉｏｎ  Ｔｅｓｔ（ＩＣＯＴ）試験と呼ばれる、ジェット燃料安定性の標準試験を研究している。さらに、ＡＦＲＬは、将来のジェット燃料は、処理されたジェット燃料の水分保持を測定するＷａｔｅｒ  Ｓｅｐａｒｏｍｅｔｅｒ  Ｉｎｄｅｘ  Ｍｏｄｉｆｉｅｄ（ＷＩＳＭ）試験に合格していることが望ましいとしている。  
【０００４】
米国特許第５，６２１，１５４号及び第５，５９６，１３０号、及び２００１年４月のＤＳＴＯ  Ａｅｒｏｎａｕｔｉｃａｌ  ａｎｄ  Ｍａｒｉｔｉｍｅ  Ｒｅｓｅａｒｃｈ  Ｌａｂｏｒａｔｏｒｙ、オーストラリア、Ｐｕｂｌｉｃａｔｉｏｎ  ＤＳＴＯ−ＴＲ−１１３５は、ポリアルケニルチオホスホン酸塩、金属不活性剤及び抗酸化物質を混合した添加剤について記述している。この添加物は、ＱＣＭ、ＨＬＰＳ及びＩＣＯＴ試験に合格しているが、ＷＩＳＭを合格できていない。このため、航空機に燃料が供給されている間、添加物は、現地のターミナルで燃料と混合される必要がある。これによって、他の点（貯蔵、輸送）において、添加剤の使用が制限されてしまう。また、航空機から回収された処理済の燃料は、再利用には不向きなものである。
【０００５】
したがって、添加剤は、ジェット燃料の高温安定性を強化し（例えば、ＪＰ８＋１００）、Ｕｎｉｔｅｄ  Ｓｔａｔｅｓ  Ａｉｒ  Ｆｏｒｃｅによって示されている性能標準を満たす又は越えさせることが、現在も必要とされている。これは、ジェット燃料の汚損を減らす添加剤と、ＱＣＭ、ＨＬＰＳ及びＩＣＯＴ試験に合格することが必要とされる。好適には、添加物はリンを含有するべきではなく、また、処理済みのジェット燃料の貯蔵および／または輸送中の水分保持の問題が解決されることが好ましい。
【発明の開示】
【課題を解決するための手段】
【０００６】
金属不活性剤と組み合わせた、ポリアルケニル置換コハク酸エステル類とαオレイン無水マレイン酸共重合体の分散剤が、ジェット燃料の安定性を効果的に強化することを発見した。ここに記載されている添加組成物は、ジェット燃料の高温安定性を強化しており（例えば、ＪＰ８＋１００）、Ｕｎｉｔｅｄ  Ｓｔａｔｅｓ  Ａｉｒ  Ｆｏｒｃｅによって示されている性能標準を満たす又は越えている。さらに、これらの添加物のいくつかは、また、燃料中の水分保持のＷＩＳＭ試験を合格している。
【０００７】
従って、１の実施例では、本発明は、ポリアルケニル置換コハク酸エステル類、αオレイン無水マレイン酸共重合体、およびこれらの混合物から成るグループから選択された１又はそれ以上の分散剤約５重量パーセント乃至約９５重量パーセントと、１又はそれ以上の金属不活性剤約０．１重量パーセント乃至約２５重量パーセントとを含む組成物である。
【０００８】
別の実施例では、本発明は、ポリアルケニル置換コハク酸エステル類、αオレイン無水マレイン酸共重合体、およびこれらの混合物から成るグループから選択された１又はそれ以上の分散剤約５重量パーセント乃至約９５重量パーセントと、１又はそれ以上の金属不活性剤約０．１重量パーセント乃至約２５重量パーセントとを含む組成物の有効安定量を燃料に加えるステップを具えるジェット燃料を安定させる方法である。
【０００９】
別の実施例では、本発明は、ポリアルケニル置換コハク酸エステル類、αオレイン無水マレイン酸共重合体、およびこれらの混合物から成るグループから選択された１又はそれ以上の分散剤約５重量パーセント乃至約９５重量パーセントと、１又はそれ以上の金属不活性剤約０．１重量パーセント乃至約２５重量パーセントとを含む組成物の有効量によって安定したジェット燃料である。
【発明を実施するための最良の形態】
【００１０】
１の実施例では、本発明は、ポリアルケニル置換コハク酸エステル類、αオレイン無水マレイン酸共重合体、およびこれらの混合物から成るグループから選択された１又はそれ以上の分散剤約５重量パーセント乃至約９５重量パーセントと、１又はそれ以上の金属不活性剤約０．１重量パーセント乃至約２５重量パーセントとを含む組成物である。
【００１１】
ポリアルケニル置換コハク酸エステル類は、p-トルエンスルホン酸又はドデシルベンゼンスルホン酸などの酸性の触媒量（約０．１パーセント乃至約２パーセント）が存在する中で、一価もしくは多価アルコール又は芳香族ヒドロキシル化合物とポリアルケニル無水コハク酸を反応することによって調整されることができる。ポリアルケニル無水コハク酸とアルコールのモル比は、約１：１から約１：２まで変えることができる。反応は、通常、約１００℃から約１７５℃の間の温度で行われる。エステルは、モノおよび／またはジエステルコハク酸にすることができる。形成物は、部分的にエステル化コハク酸である。エステルは、また、フリーアルコール性又はフェノール性ヒドロキシルラジカルを含んでもよい。
【００１２】
代表的な一価アルコールには、メタノール、エタノール、プロパノール、ブタノール、ベンジルアルコール、および他の分子量のより大きいアルコールなどが包含される。好適な多価アルコールは、一般的には、約２乃至約１０のヒドロキシル基を含んでいる。代表的な多価アルコールには、エチレングリコール、ジエチレングリコール、トリエチレングリコール、テトラエチレングリコール、ジプロピレングリコール、トリプロピレングリコール、グリセロール、ペンタエリスリトール、エリスリトール、ソルビトール、マニトールなど、並びにグルコース、ガラクトース及び他の炭水化物などの糖類が包含される。代表的な芳香族ヒドロキシル化合物には、フェノール、ナフトールなどが包含される。
【００１３】
ポリアルケニル置換コハク酸エステル類の出発物質として有用なポリアルケニル無水コハク酸は、ポリオレフィンに無水マレイン酸を加え、約１４０℃から約２５０℃まで加熱することで、調整することができる。
【００１４】
代表的なポリオレフィンには、ポリエチレン、ポリプロピレン、ポリイソブチレン、ポリブテン及びオレフィン反復基などを含む共重合体が包含される。一般的なポリオレフィンは、平均分子量が約４００乃至約５，０００である。
【００１５】
１の実施例では、ポリアルケニル無水コハク酸は、ポリイソブテニル無水コハク酸である。
【００１６】
ポリイソブテニル（ＰＩＢ）基は、様々な組成とすることができる。ＰＩＢ基は、約３０乃至約２５０の炭素原子を含むことができ、結果物としてのＰＩＢ無水コハク酸の平均分子量は、約４００乃至約３０００である。１の実施例では、ＰＩＢ基は、約５０乃至約１００の炭素原子を含み、結果物としてのＰＩＢ無水コハク酸の平均分子量は、約６００乃至約１５００である。１の実施例では、ＰＩＢ基は、約６０乃至約９０の炭素原子を含み、結果物としてのＰＩＢ無水コハク酸の平均分子量は、約８００乃至約１３００である。
【００１７】
ポリアルケニル無水コハク酸は、例えば、Ｃｈｅｖｒｏｎ  Ｏｒｏｎｉｔｅ  Ｃｏｍｐａｎｙ  ＬＬＣ、Ｏｒｏｎｉｔｅ  Ａｄｄｉｔｉｖｅ  Ｄｉｖｉｓｉｏｎ、Ｂｅｌｌｅ  Ｃｈａｓｓｅ、ＬＡ、Ｉｎｆｉｎｅｕｍ、Ｌｉｎｄｅｎ、ＮＪ  ａｎｄ  Ｅｔｈｙｌ  Ｃｏｒｐｏｒａｔｉｏｎ、Ｒｉｃｈｍｏｎｄ、ＶＡによって市販されている。
【００１８】
本発明の組成物は、また、ポリマー骨格に沿う無水部分がほぼそのままであり、ジ酸又は他の無水反応生成物に転化していないαオレイン無水マレイン酸共重合体を含む。共重合体は、約１０乃至約３６の炭素原子を有する１又はそれ以上のαオレインを含む。１の実施例は、αオレインは、約２４乃至約２８の炭素原子を有する。代表的なαオレインには、１−テトラデセン、１−ヘキサデセン、１−オクタデセン、１−イコセン、１−ドコセン、１−テトラコセン、１−ヘプタコセン、１−トリアコンテン、１−ヘキサトリアコンテンなどが包含される。
【００１９】
１の実施例では、αオレイン無水マレイン酸共重合体のαアルファオレインと無水マレイン酸の重量比は、約１：１乃至約５：１である。
【００２０】
１の実施例では、αオレイン無水マレイン酸共重合体の平均分子量は、約５，０００乃至約１００，０００である。
【００２１】
１の実施例では、αオレイン無水マレイン酸共重合体のαオレインと無水マレイン酸の重量比が約１：１乃至約４：１であり、この平均分子量は、約５，０００乃至約２０，０００である。
【００２２】
αオレイン／無水マレイン酸共重合体は、ここに参照によって組み込まれている米国特許第５，２３２，９６３に開示されている、無水マレイン酸とαオレインの純フリーラジカル重合によって調整されることができる。共重合は、過酸化物、アゾ基などのこの技術分野で既知の開始剤を含む様々なフリーラジカル生成化合物によっても開始される。好ましい開始剤は、ｔ−ブチルペルベンゾアートである。一般的には、開始剤の濃度は、無水マレイン酸モノマー１モルあたり、開始剤約０．００１乃至約０．２０モルの間であり、無水物１モルあたり、開始剤０．０５乃至約０．１０モルが好ましい。
【００２３】
重合は、約２０℃乃至約２００℃の温度で行われ、好ましくは約１２５℃乃至約１７５℃である。重合圧力は、部分的真空から数千ｐｓｉ以下に変えることができる。約１００ｐｓｉまでの大気圧が好ましい。
【００２４】
反応時間は、通常、使用する無水マレイン酸をほぼ完全に反応させるのに十分な時間が好適である。反応時間は、一般的に、約１時間から約２４時間である。
【００２５】
反応媒質は、共重合反応の温度及び圧力の液体であるべきである。選択的に使用される好適な溶媒は、飽和液体と、約６から約２０の炭素原子を有する芳香族炭化水素、約１から約５の炭素原子を有するハロゲン化炭化水素及び約３から約６の炭素原子を有するケトンとを含む。加熱されたαオレインコモノマー中で行われる純重合反応が好ましい。そうではない場合、分離反応溶媒は、最終使用炭化水素流体と混合可能であることが望ましい。
【００２６】
上記のことに留意して、本発明の組成物は、さらに、１又はそれ以上の金属不活性剤約０．１重量パーセント乃至約２５重量パーセントとを含む。
【００２７】
１の実施例では、金属不活性剤は、Ｎ，Ｎ’−サリチリデン−１，２−プロパンジアミン、Ｎ，Ｎ−２置換アミノメチル−１，２，４−トリアゾール、アルキルフェノール−モノエチレンジアミン、ポリエチレンポリアミン−ホルムアルデヒド樹脂ポリマー及びその混合物から選択される。１の実施例では、金属不活性剤はＮ，Ｎ’−サリチリデン−１，２−プロパンジアミンである。
【００２８】
１の実施例では、組成物は、ポリアルケニル置換コハク酸エステル類、αオレイン無水マレイン酸共重合体、およびこれらの混合物から成るグループから選択された１又はそれ以上の分散剤約１０重量パーセント乃至約６０重量パーセントと、１又はそれ以上の金属不活性剤約１．０重量パーセント乃至約２０重量パーセントとを含む。
【００２９】
１の実施例では、組成物は、ポリアルケニル置換コハク酸エステル類、αオレイン無水マレイン酸共重合体、およびこれらの混合物から成るグループから選択された１又はそれ以上の分散剤約１０重量パーセント乃至約４０重量パーセントと、１又はそれ以上の金属不活性剤約５．０重量パーセント乃至約１０重量パーセントとを含む。
【００３０】
組成物はさらに、１又はそれ以上の抗酸化物質約５重量パーセント乃至約６０重量パーセントを含む。好適な抗酸化物質は、フェノール及びアミノ塩基にしてもよい。代表的なフェノール系抗酸化物質には、ブチル化ヒドロキシトルエン、２，６−ジ−ｔｅｒｔ−ブチルフェノールなどのヒンダードフェノールが包含される。代表的なアミノ塩基抗酸化物質には、Ｎ，Ｎ’−ジ−ブチルフェニレンジアミン、Ｎ，Ｎ’−ジ−メチルペンチルフェニレンジアミン、Ｎ，Ｎ’−ジ−エチルヘキシルフェニレンジアミン、Ｎ−アリル−Ｎ’−アルキルフェニレンジアミン、Ｎ，Ｎ’−ジ−アリル−フェニレンジアミンなどの置換１，４−ジアミノベンゼンが包含される。
【００３１】
１の実施例では、組成物は、抗酸化物質約１０重量パーセント乃至約５０重量パーセントとを含む。１の実施例では、組成物は、抗酸化物質約１０重量パーセント乃至約２５重量パーセントとを含む。
【００３２】
分散剤、金属不活性剤及び選択的な抗酸化物質は、様々な炭化水素溶剤及び炭化水素溶剤混合物に配合されることができる。代表的な炭化水素溶剤には、ジェット燃料、ディーゼル、ガソリン、重質芳香族ナフサ、軽油などのパラフィン及び芳香族溶剤が包含される。１の実施例では、分散剤、金属不活性剤及び選択的な抗酸化物質は、重質芳香族ナフサ（ＨＡＮ）に配合される。
【００３３】
燃料を安定させるのに十分な量の本発明の組成物が、ジェット燃料に加えられることで、ジェットエンジンの動作状態下、ファウリングと堆積物の形成を防止する。一般的に、約０．１ｐａｒｔｓ  ｐｅｒ  ｍｉｌｌｉｏｎ（ｐｐｍ）乃至約５，０００ｐａｒｔｓ  ｐｅｒ  ｍｉｌｌｉｏｎ（ｐｐｍ）の組成物が燃料に加えられる。１の実施例では、約１ｐｐｍ乃至約１，０００ｐｐｍの組成物が燃料に加えられる。
【００３４】
好適なジェット燃料は、通常、沸点範囲が約１５０°Ｆ乃至約６００°Ｆ又はこれより高い炭化水素燃料であり、ＪＰ−４、ＪＰ−５、ＪＰ−７、ＪＰ−８、ＪＰ−８＋１００、ＪｅｔＡ及びＪｅｔＡ−１などの言葉で示される。ＪＰ−４及びＪＰ−５は、Ｕ．Ｓ．Ｍｉｌｉｔａｒｙ  Ｓｐｅｃｉｆｉｃａｔｉｏｎ  ＭＩＬ−Ｔ−５６２４−Ｎによって規定される燃料であり、ＪＰ−８は、Ｕ．Ｓ．Ｍｉｌｉｔａｒｙ  Ｓｐｅｃｉｆｉｃａｔｉｏｎ  ＭＩＬ−Ｔ８３１３３Ｄによって規定される。ＪｅｔＡ、ＪｅｔＡ−１及びＪｅｔＢは、ＡＳＴＭ  Ｓｐｅｃｉｆｉｃａｔｉｏｎ  Ｄ１６５５によって規定される。これらの温度は、しばしば、タービン燃焼燃料油が燃焼前にさらされる温度である。燃料は、また、抗酸化物質、金属不活性剤、静電分解剤、腐食抑制剤、燃料システム着氷抑制剤などを含む様々な規格に燃料油を適合させることが必要な添加剤を含む。
【００３５】
以上のことは、以下の実験例によって、より理解しやすいものであるが、これらは説明のためであり、本発明の範囲を限定する意図はない。
【００３６】
実験例１
ポリイソブテニルペンタエリスリトールコハク酸の調整
ｐ−ＴＳＡの触媒量（０．５ｇ）を含む、ポリイソブテニル無水コハク酸（Ｍｗ１０００、５０．３ｇ、Ｏｒｏｎｉｔｅ  ＯＬＯＡ−１５５００、Ｏｒｏｎｉｔｅ  Ｃｏｍｐａｎｙ  ＬＬＣ、Ｏｒｏｎｉｔｅ  Ａｄｄｉｔｉｖｅ  Ｄｉｖｉｓｉｏｎ、Ｂｅｌｌｅ  Ｃｈａｓｓｅ、ＬＡ）、ペンタエリスリトール（５．１ｇ）の組成物は、ある一定流量のＮ２ガス下で、混ぜ合わされて２００℃まで加熱される。エステル化は、ＩＲの無水物ピークの消失及びエステルピークの出現によって観察された。この反応で形成された水は、Ｄｅａｎ  Ｓｔａｒｋで収集される。この反応は、この温度で９０分後に完了する。反応組成物は１５０℃まで冷却され、重質芳香族ナフサ（１２４ｇ）が、生成物を希釈するために加えられた。未反応ペンタエリスリトールは、セライトを通す濾過によって除去される。燃料安定試験用の抑制剤を作るため金属不活性剤と混合される澄んだ琥珀色の生成物が収集された。
【００３７】
実験例２
代表的な添加剤組成物の調整
代表的な添加剤組成物は、ＨＡＮに、所望の量のポリアルケニル置換コハク酸エステル類又はαオレイン無水マレイン酸共重合体及び金属不活性剤を混合させることで調整される。代表的な添加剤配合が表１に示されている。表１で、分散剤Ａは、実験例１の方法に従って調整されたポリイソブテニルペンタエリスリトールコハク酸である。分散剤Ｂは、特許第５，２３２，９６３の記載に従って１−オクタコセンから調整された、分子量１０，０００乃至２０，０００のαオレイン無水マレイン酸共重合体である。分散剤Ｃは、市販されているポリアルケニル置換コハク酸エステル類である（Ｌｕｂｒｉｚｏｌ  ５９４８、Ｌｕｂｒｉｚｏｌ  Ｌｕｂｒｉｃａｎｔ  Ａｄｄｉｔｉｖｅｓ、Ｗｉｃｋｌｉｆｆｅ、ＯＨから入手可能）。金属不活性剤Ｄは、Ｎ，Ｎ’−サリチリデン−１，２−プロパンジアミンである（ＫＭＤ−８０、Ｆｅｒｒｏ  Ｃｏｒｐｏｒａｔｉｏｎ、Ｈａｍｍｏｎｄ、ＩＮから入手可能）。
【００３８】
表１
代表的な添加剤組成物
2009511699.tif 000002
【００３９】
実験例３
Ｑｕａｒｔｚ  Ｃｒｙｓｔａｌ  Ｍｉｃｒｏｂａｌａｎｃｅ（ＱＣＭ）試験
ＱＣＭ試験は、ＪＰ−８燃料９０ｍｌで、Ｐａｒｒ  Ｂｏｍｂで行われる。燃料は、３０分間空気で泡立てることによって飽和される。試料は、それから、１４０℃で１５時間以上、金メッキ石英５ＭＨｚ結晶の周波数を監視しつつ（Ｍａｔｅｘ  １４９２１１−１１）、閉環境中で加熱される。結晶上に形成された付着物(foulant)の堆積率は、μｇ  ｃｍ−２で測定される。ブランク及び処理済のデータが、表２に示されている。
【００４０】
表２
非安定性及び安定性燃料のＱＣＭ試験
2009511699.tif 000003
【００４１】
これらの適格審査から収集されたＱＣＭデータは、結晶金で処理した試料から形成される堆積物量が著しく減少することを明確に示している。３つの全ての添加剤のこれらの数値は、ＡＦＲＬによって規定されたこの試験に合格する添加剤の限度内である。
【００４２】
実験例４
Ｈｏｔ  Ｌｉｑｕｉｄ  Ｐｒｏｃｅｓｓ  Ｓｉｍｕｌａｔｏｒ（ＨＬＰＳ）試験
３つの添加剤の性能は、Ａｌｃｏｒ  Ｈｏｔ  Ｌｉｑｕｉｄ  Ｐｒｏｃｅｓｓ  Ｓｉｍｕｌａｔｏｒで評価された。試験は、棒(rod)温度６３５°Ｆ及び流量３−ｍｌ／ｍｉｎで、ΔＴモードの下に行われる。３００分間以上、１７μｍインラインフィルタを通して、様々な圧力が測定される。２５６ｐｐｍの３つの添加剤それぞれによって処理されたＪＰ−８燃料は、ブランクに対してほとんど１００％防御（protection）であった。表３にそのデータを示す。
【００４３】
表３
Ｈｏｔ  Ｌｉｑｕｉｄ  Ｐｒｏｃｅｓｓ  Ｓｉｍｕｌａｔｏｒデータ
2009511699.tif 000004
【００４４】
実験例５
Ｉｓｏｔｈｅｒｍａｌ  Ｏｘｉｄａｔｉｏｎ  Ｔｅｓｔ（ＩＣＯＴ）
ジェット燃料（２０ｍｌ）は、５時間１．３Ｌ／ｍｉｎで通気されている間、１８０℃で継続的に加熱される。試料は、一晩置いて、沈殿物が、０．２ｍｍのＷｈａｔｍａｎ  ｎｕｃｌｅｐｏｒｅ薄膜フィルターを通す濾過によって収集され、乾かされる。この結果は、ｍｇ体積部／燃料Ｌで報告されている。熱酸化試験における３つのＮａｌｃｏ’ｓ添加剤のブランクに対する性能データは、表４に示されている。
【００４５】
表４
Ｉｓｏｔｈｅｒｍａｌ  Ｏｘｉｄａｔｉｏｎ  Ｔｅｓｔデータ
2009511699.tif 000005
【００４６】
実験例６
Ｗａｔｅｒ  Ｓｅｐａｒｏｍｅｔｅｒ  Ｉｎｄｅｘ  Ｍｏｄｉｆｉｅｄ（ＷＳＩＭ）試験
試験は、高速ミキサーを使用する水脱分極燃料エマルジョンを作り出すことによって行われる。エマルジョンは、それから、プログラム率で標準ファイバーグラスコアレッサーを通して放出され、流出物は、光線透過率測定によって非凝集水を分析されている。この結果は、０−１００スケールで報告されている。高率は水が凝集しやすいことを示し、添加剤が燃料に影響しないことを示唆している。試験データが表５に示されている。
【００４７】
表５
ＷＳＩＭ試験データ
2009511699.tif 000006
【００４８】
表５のデータによる結果は、添加剤１がＷＳＩＭ試験に合格することを示している。
【００４９】
さらに、上述の試験から得られたデータは、本発明に従った添加剤が、高温ジェット燃料用にＡｉｒ  Ｆｏｒｃｅ  Ｒｅｓｅａｒｃｈ  Ｌａｂ（ＡＦＲＬ）によって規定された初期試験手順に合格することを示している。
【００５０】
ここに記載された発明の組成物、動作及び方法の配置は、請求の範囲によって規定される発明の概念及び範囲から外れることなく変更可能である。
【国際調査報告】
2009511699.tif 000007
2009511699.tif 000008
2009511699.tif 000009